(57)【特許請求の範囲】
【請求項１】
洗い場の凹部の底面に設けられた排水口に接続される受入口と、浴槽の排水口に接続される流入口と、排水管に接続される流出口と、を有し、前記受入口及び前記流入口から流入した水を前記流出口から流出させるとともに、前記受入口及び前記流入口から前記流出口へと至る経路を封水によって遮断可能とするトラップ本体と、
前記受入口に着脱可能に取り付けられ、前記受入口から前記トラップ本体内への異物の侵入を抑制するヘアキャッチャーと、
を備え、
前記ヘアキャッチャーは、
下方に向かって凹む籠状であり、前記受入口に嵌って少なくとも一部が前記トラップ本体内に入り込む本体部と、
前記本体部の上端から外方に延びる取っ手部と、
前記本体部の外周面に周方向において所定の間隔を空けて設けられた複数の係合溝と、
を有し、
前記トラップ本体は、
上部に前記受入口が設けられた有底筒状であり、流入した水を前記流出口に向けて流出させつつ、内部に前記封水を貯留可能とした封水貯留部と、
前記封水貯留部の内周面に周方向において所定の間隔を空けて設けられ、内方に突出し、前記複数の係合溝と係合する複数の係合突起と、
前記流入口から流入した水を前記封水貯留部内に噴出させることにより、前記封水貯留部の内周面に沿って旋廻する旋廻流を形成するとともに、前記封水貯留部内の水位を一時的に上昇させ、前記ヘアキャッチャーを前記旋廻流に浸漬させる噴出部と、
を有し、
前記複数の係合溝のそれぞれは、前記本体部の周方向に延び、前記本体部を前記旋廻流の旋廻方向に回転させることによって前記複数の係合突起のいずれかと係合し、前記複数の係合突起との係合により、前記本体部の上下方向の移動を規制するとともに、前記本体部の前記旋廻方向への回転を規制し、
前記封水貯留部は、底面から前記受入口に取り付けられた前記ヘアキャッチャーの底部近傍まで延びる突出部を有し、
前記突出部は、前記旋廻流の旋廻を促進できる溝又は突起を外周面に有することを特徴とする排水トラップ。
【請求項２】
前記突出部は、前記封水貯留部の底面の中央部から略垂直に設けられていることを特徴とする請求項１記載の排水トラップ。
【請求項３】
前記溝又は前記突起は、前記突出部の上部のみに設けられていることを特徴とする請求項１又は２記載の排水トラップ。
【発明の詳細な説明】
【技術分野】
【０００１】
本発明の態様は、一般的に、浴室用の排水トラップに関する。
【背景技術】
【０００２】
浴槽の排水口と、洗い場の排水口と、排水管と、に接続され、浴槽又は洗い場から流入した水を排水管に流出させる浴室用の排水トラップがある。排水トラップは、内部に封水を貯留することにより、排水管からの臭気や害虫などが浴室側に向かうことを抑制する。
【０００３】
排水トラップには、ヘアキャッチャーと呼ばれる籠状の部材が着脱可能に設けられる。ヘアキャッチャーは、洗い場の排水口との接続部分である受入口に着脱可能に取り付けられ、トラップ内への水の流入を妨げることなく、毛髪などの異物がトラップ内に侵入してしまうことを抑制する。
【０００４】
こうした排水トラップにおいて、浴槽の排水口から流入した水により、トラップ内に旋廻流を形成することが提案されている（例えば、特許文献１）。トラップ内に旋廻流を形成しつつ、トラップ内の水位を一時的に上昇させて、ヘアキャッチャーを旋廻流に浸漬させる。これにより、例えば、ヘアキャッチャー内に溜まった異物がまとめられ、異物を捨て易くすることができる。また、ヘアキャッチャーの表面が、旋廻流によって浄化され、ヘアキャッチャー表面におけるヌメリの発生などを抑えることができる。
【０００５】
旋廻流を形成する排水トラップにおいて、旋廻流の影響でヘアキャッチャーが動いてしまうと、異物をまとめる効果やヌメリの抑制の効果が低下してしまう。このため、旋廻流を形成する排水トラップでは、受入口付近にヘアキャッチャーを係合させることにより、ヘアキャッチャーの上下方向及び旋廻方向への移動を規制している。
【０００６】
図９に表したように、例えば、排水トラップＤＴのトラップ本体ＭＢにおいて受入口ＯＰよりも下方の内周面に係合突起ＥＰを設け、係合突起ＥＰと係合する係合溝ＥＧをヘアキャッチャーＨＣの外周面に設けることが提案されている。係合突起ＥＰは、内方に向かって突出する。係合突起ＥＰは、例えば、トラップ本体ＭＢ内の内周面の周方向に所定の間隔を空けて複数設けられる。係合溝ＥＧは、例えば、ヘアキャッチャーＨＣの外周面の周方向に延び、係合部ＥＰに対応して複数設けられる。
【０００７】
図１０（ａ）に表したように、ヘアキャッチャーＨＣの取り付けにおいては、まず、ヘアキャッチャーＨＣの上端を略水平にした状態で、上部に設けられたフランジ部ＨＣｆを複数の係合突起ＥＰの上に載置する。フランジ部ＨＣｆは、ヘアキャッチャーＨＣの籠状の本体部の上端部から外方に向かって放射状に延びる部分である。この後、図１０（ｂ）に表したように、ヘアキャッチャーＨＣを旋廻方向に回転させながら各係合突起ＥＰと各係合溝ＥＧとを互いに係合させる。各係合溝ＥＧに各係合突起ＥＰを入り込ませて上下方向の移動を規制するとともに、各係合溝ＥＧの端面に各係合突起ＥＰを当接させて旋廻方向の移動を規制する。これにより、各係合突起ＥＰと各係合溝ＥＧとの係合によって、ヘアキャッチャーＨＣの上下方向及び旋廻方向への移動が規制される。また、この取付方法では、ヘアキャッチャーＨＣのフランジ部ＨＣｆで各係合突起ＥＰ及び各係合溝ＥＧを覆い隠すことができる。これにより、例えば、各係合突起ＥＰ及び各係合溝ＥＧに生じる汚れを目立たなくさせることができる。
【０００８】
さらに、ヘアキャッチャーＨＣには、上端から外方に向かって略水平に延びる取っ手ＨＣｈが設けられる。これにより、取っ手ＨＣｈを摘んで操作することにより、ヘアキャッチャーＨＣ内に捕捉された異物を容易に捨てることができる。
【０００９】
また、ヘアキャッチャーＨＣは、受入口ＯＰよりも僅かに小さく形成され、受入口ＯＰ内に嵌った状態で取り付けられる。ヘアキャッチャーＨＣの上端は、受入口ＯＰと略面一、あるいは受入口ＯＰよりも下方に位置する。これにより、ヘアキャッチャーＨＣに洗い場からの排水を流入させ易くすることができる。また、受入口ＯＰに嵌るようにヘアキャッチャーＨＣを形成することにより、受入口ＯＰよりも大きく形成する場合に比べて、ヘアキャッチャーＨＣを小さくすることができ、ヘアキャッチャーＨＣをより操作し易くすることができる。捕捉された異物を捨てる際の操作性をより向上させることができる。
【００１０】
図１１に表したように、洗い場２の排水口４は、排水の溢れなどを抑制するため、凹部３の底面３ａに設けられる。凹部３の底面３ａの大きさは、受入口ＯＰの大きさよりも僅かに大きい程度であり、凹部３の立面３ｂは、受入口ＯＰに近接して配置される。
【００１１】
これにともない、洗い場２の床面２ａと凹部３の立面３ｂとのコーナー部ＣＮＲに、ヘアキャッチャーＨＣの側方側で取っ手ＨＣｈを摘んでいる手が当たってしまうことを避けるため、使用者によっては、取っ手ＨＣｈを摘み、図１１に表したように、ヘアキャッチャーＨＣの籠状の本体部分を受入口ＯＰに対して斜めに差し込んでしまう。そして、ヘアキャッチャーＨＣを受入口ＯＰに対して斜めに差し込むと、各係合突起ＥＰの間を通り抜け、ヘアキャッチャーＨＣがトラップ本体ＭＢ内の封水に浸かってしまう場合がある。
【００１２】
このように、旋廻流を形成する排水トラップＤＴでは、ヘアキャッチャーＨＣの取り付けの際に、ヘアキャッチャーＨＣがトラップ本体ＭＢ内の封水に浸かってしまう可能性があった。封水は、石鹸カスなどの混入により、不衛生な状態となっている場合がある。このため、ヘアキャッチャーＨＣが封水に浸かると、使用者にストレスを与えてしまう恐れがある。
【００１３】
また、ヘアキャッチャーＨＣを受入口ＯＰよりも大きくすると、ヘアキャッチャーＨＣが封水に浸かってしまうことを抑制できる反面、ヘアキャッチャーＨＣのサイズが大きくなってしまうため、操作性の低下を招き、ヘアキャッチャーＨＣの機能性を低下させてしまう。
【００１４】
従って、旋廻流を形成する排水トラップＤＴでは、ヘアキャッチャーＨＣの機能性の低下を招くことなく、ヘアキャッチャーＨＣが封水に浸かってしまうことを抑制できるようにすることが望まれる。
【先行技術文献】
【特許文献】
【００１５】
【特許文献１】特開２０１２−１７２４２２号公報
【発明の概要】
【発明が解決しようとする課題】
【００１６】
本発明は、かかる課題の認識に基づいてなされたものであり、ヘアキャッチャーの機能性の低下を招くことなく、ヘアキャッチャーが封水に浸かってしまうことを抑制できる排水トラップを提供することを目的とする。
【課題を解決するための手段】
【００１７】
第１の発明は、洗い場の凹部の底面に設けられた排水口に接続される受入口と、浴槽の排水口に接続される流入口と、排水管に接続される流出口と、を有し、前記受入口及び前記流入口から流入した水を前記流出口から流出させるとともに、前記受入口及び前記流入口から前記流出口へと至る経路を封水によって遮断可能とするトラップ本体と、前記受入口に着脱可能に取り付けられ、前記受入口から前記トラップ本体内への異物の侵入を抑制するヘアキャッチャーと、を備え、前記ヘアキャッチャーは、下方に向かって凹む籠状であり、前記受入口に嵌って少なくとも一部が前記トラップ本体内に入り込む本体部と、前記本体部の上端から外方に延びる取っ手部と、前記本体部の外周面に周方向において所定の間隔を空けて設けられた複数の係合溝と、を有し、前記トラップ本体は、上部に前記受入口が設けられた有底筒状であり、流入した水を前記流出口に向けて流出させつつ、内部に前記封水を貯留可能とした封水貯留部と、前記封水貯留部の内周面に周方向において所定の間隔を空けて設けられ、内方に突出し、前記複数の係合溝と係合する複数の係合突起と、前記流入口から流入した水を前記封水貯留部内に噴出させることにより、前記封水貯留部の内周面に沿って旋廻する旋廻流を形成するとともに、前記封水貯留部内の水位を一時的に上昇させ、前記ヘアキャッチャーを前記旋廻流に浸漬させる噴出部と、を有し、前記複数の係合溝のそれぞれは、前記本体部の周方向に延び、前記本体部を前記旋廻流の旋廻方向に回転させることによって前記複数の係合突起のいずれかと係合し、前記複数の係合突起との係合により、前記本体部の上下方向の移動を規制するとともに、前記本体部の前記旋廻方向への回転を規制し、前記封水貯留部は、底面から前記受入口に取り付けられた前記ヘアキャッチャーの底部近傍まで延びる突出部を有し、前記突出部は、前記旋廻流の旋廻を促進できる溝又は突起を外周面に有することを特徴とする排水トラップである。
【００１８】
この排水トラップによれば、ヘアキャッチャーを回転させ、封水貯留部の内周面に設けられた係合突起と、ヘアキャッチャーの外周面に設けられた係合溝と、を係合させるという簡単な作業で、ヘアキャッチャーが旋廻流の影響を受けてもヘアキャッチャーが回転してしまうことを抑制することができるとともに、ヘアキャッチャーが旋廻流の影響を受けて上下に動いてしまうことを抑制することもできるように、ヘアキャッチャーを取り付けることができる。さらに、このようにヘアキャッチャーを回転により係合させる形態であっても、封水貯留部の底面からヘアキャッチャーの底部近傍まで延びる突出部を設けているため、ヘアキャッチャーの本体部の上端から外方に延びる取っ手部を摘んでヘアキャッチャーを取り付ける際に係合部間に対して斜めにヘアキャッチャーが入り込もうとした場合であっても、ヘアキャッチャーが突出部に接触し、封水に浸かってしまうことを抑制することができる。従って、ヘアキャッチャーの機能性の低下を招くことなく、ヘアキャッチャーが封水に浸かってしまうことを抑制することができる。
また、ヘアキャッチャーが封水に浸かることを抑制しつつ、旋廻流の旋廻をより促進することができる。
【００１９】
第２の発明は、第１の発明において、前記突出部は、前記封水貯留部の底面の中央部から略垂直に設けられていることを特徴とする排水トラップである。
【００２０】
この排水トラップによれば、突出部が旋廻流の妨げとなってしまうことを抑制することができる。旋廻流の旋廻を妨げることなく、ヘアキャッチャーが封水に浸かることを抑制することができる。
【００２３】
第３の発明は、第１又は第２の発明において、前記溝又は前記突起は、前記突出部の上部のみに設けられていることを特徴とする排水トラップである。
【００２４】
この排水トラップによれば、封水貯留部の上方の部分において旋廻流の旋廻を促進させることができる。旋廻流が必要となるのは、ヘアキャッチャーに浸漬する封水貯留部の上方の部分のみである。従って、必要な部分において旋廻流の旋廻を促進させつつ、突出部の下部の部分における清掃性を向上させることができる。
【発明の効果】
【００２５】
本発明の態様によれば、ヘアキャッチャーの機能性の低下を招くことなく、ヘアキャッチャーが封水に浸かってしまうことを抑制できる排水トラップが提供される。
【図面の簡単な説明】
【００２６】
【図１】実施形態に係る排水トラップを表す斜視図である。
【図２】実施形態に係る排水トラップを表す断面図である。
【図３】実施形態に係る排水トラップの使用状態を表す斜視図である。
【図４】流入口から水が流入した場合の水の流れを説明する説明図である。
【図５】実施形態に係るヘアキャッチャーを表す正面図である。
【図６】ヘアキャッチャーの取り付け状態を表す参考図である。
【図７】図７（ａ）及び図７（ｂ）は、実施形態に係る封水貯留部の変形例を表す部分断面図である。
【図８】図８（ａ）及び図８（ｂ）は、実施形態に係る封水貯留部の別の変形例を表す部分断面図である。
【図９】参考の排水トラップを表す平面図である。
【図１０】図１０（ａ）及び図１０（ｂ）は、参考の排水トラップのヘアキャッチャーの取り付け方法を表す説明図である。
【図１１】参考の排水トラップのヘアキャッチャーの取り付け状態を表す説明図である。
【発明を実施するための形態】
【００２７】
以下、実施形態について図面を参照しつつ説明する。なお、各図面中、同様の構成要素には同一の符号を付して詳細な説明は適宜省略する。  
図１は、実施形態に係る排水トラップを表す斜視図である。  
図２は、実施形態に係る排水トラップを表す断面図である。  
図３は、実施形態に係る排水トラップの使用状態を表す斜視図である。  
図１〜図３に表したように、排水トラップ１０は、トラップ本体１２と、ヘアキャッチャー１４と、を備える。ヘアキャッチャー１４は、トラップ本体１２に対して着脱可能に取り付けられる。なお、図３では、ヘアキャッチャー１４を取り外した状態を図示している。
【００２８】
トラップ本体１２は、受入口２０と、流入口２２と、流出口２４と、を有する。受入口２０は、洗い場２の凹部３の底面３ａに設けられた排水口４に接続される。流入口２２は、浴槽５の排水口６に接続される。流出口２４は、排水管８に接続される。
【００２９】
トラップ本体１２は、受入口２０及び流入口２２から流入した水を流出口２４から流出させる。換言すれば、トラップ本体１２は、流入した水を流出口２４を介して排水管８に流出させる。また、トラップ本体１２は、受入口２０及び流入口２２から流出口２４へと至る経路を封水によって遮断可能とする。これにより、トラップ本体１２は、排水管８の臭気や害虫などが浴室側に向かってしまうことを抑制する。
【００３０】
この例において、流入口２２は、接続部材１６及びホース１８を介して浴槽５の排水口６に接続される。接続部材１６は、Ｌ字状に屈曲した配管である。接続部材１６の一端には、排水口６と直接的に接続される接続口１６ａが設けられている。接続部材１６は、例えば、図示を省略した排水栓ユニットなどを介して排水口６に接続される。接続部材１６の他端は、ホース１８の一端に接続されている。ホース１８の他端は、流入口２２に接続されている。これにより、浴槽５の排水口６から排出された水が、接続部材１６及びホース１８を介してトラップ本体１２の流入口２２に流入する。
【００３１】
接続部材１６及びホース１８は、接着や溶着などにより、トラップ本体１２に一体に設けられていてもよい。この場合、接続部材１６の接続口１６ａを流入口２２としてもよい。流入口２２は、接続部材１６及びホース１８などの他の部材を介して間接的に浴槽５の排水口６に接続しても良いし、浴槽５の排水口６に直接的に接続してもよい。
【００３２】
ヘアキャッチャー１４は、受入口２０に着脱可能に取り付けられる。ヘアキャッチャー１４は、受入口２０からトラップ本体１２内への水の流入を妨げることなく、毛髪などの異物が受入口２０からトラップ本体１２内に侵入してしまうことを抑制する。
【００３３】
ヘアキャッチャー１４は、本体部３０と、取っ手部３２と、を有する。本体部３０は、下方に向かって凹む籠状である。本体部３０は、複数の開口を有し、各開口から水をトラップ本体１２内に流入させるとともに、各開口の周囲の網目状の部分において毛髪などの異物を捕捉する。
【００３４】
本体部３０は、受入口２０に嵌って少なくとも一部がトラップ本体１２内に入り込む。受入口２０の形状は、略円形である。同様に、本体部３０の上端３０ａの形状（本体部３０を上方から見た形状）は、略円形である。また、本体部３０は、上端部から外方に向かって放射状に延びるフランジ部３０ｆを有する。本体部３０の上端３０ａの外径（フランジ部３０ｆの外径）は、例えば、受入口２０の直径と実質的に同じか僅かに小さい程度である。これにより、本体部３０は、受入口２０内に嵌る。
【００３５】
また、ヘアキャッチャー１４は、本体部３０の上端３０ａが受入口２０と略面一になるようにトラップ本体１２に取り付けられる。すなわち、この例においては、本体部３０の略全体がトラップ本体１２内に入り込む。本体部３０の上端３０ａは、受入口２０に対して上方に位置してもよいし、下方に位置してもよい。但し、本体部３０の上端３０ａの位置は、受入口２０と略面一もしくは受入口２０よりも下方に設定することが好ましい。これにより、受入口２０より上方に設定する場合に比べて、洗い場２から流れた水をヘアキャッチャー１４の本体部３０内に流入させ易くすることができる。例えば、異物を含んだ水が、ヘアキャッチャー１４を通過することなく、ヘアキャッチャー１４と受入口２０との間の隙間などからトラップ本体１２内に直接流れ込んでしまうことを抑制することができる。トラップ本体１２内への異物の侵入をより抑制することができる。
【００３６】
取っ手部３２は、本体部３０の上端３０ａから外方に向かって略水平に延びる。これにより、例えば、ヘアキャッチャー１４を着脱し易くすることができる。例えば、取っ手部３２を摘み、本体部３０を裏返すように操作することにより、本体部３０に捕捉された異物を容易にゴミ箱などに捨てることができる。この例において、ヘアキャッチャー１４は、本体部３０の上端３０ａから上方に向かって延びる立ち上がり部３１を有し、取っ手部３２は、立ち上がり部３１の上端から外方に向かって略水平に延びる。取っ手部３２は、本体部３０の上端３０ａから直接的に外方に延びてもよいし、上記のように、立ち上がり部３１などを介して本体部３０の上端３０ａから間接的に外方に延びてもよい。
【００３７】
トラップ本体１２は、封水貯留部４０と、複数の係合突起４１と、噴出部４２と、を有する。
【００３８】
封水貯留部４０は、上部に受入口２０が設けられた有底筒状である。受入口２０に取り付けられたヘアキャッチャー１４は、封水貯留部４０内に入り込む。封水貯留部４０は、受入口２０から流入した水を受ける。封水貯留部４０は、流入した水を流出口２４に向けて流出させつつ、内部に封水を貯留可能とする。
【００３９】
トラップ本体１２は、例えば、隣接室４３と、連通口４４と、をさらに有する。隣接室４３は、封水貯留部４０に隣接して設けられる。流出口２４は、隣接室４３に設けられる。流出口２４は、隣接室４３において、隣接室４３の底面よりも上方に設けられる。流出口２４は、例えば、隣接室４３から側方を向いて形成される。これにより、隣接室４３では、流出口２４よりも下方の部分に、水が溜まる。すなわち、この例では、流出口２４の下端の位置が、封水の最高位置ＭＨＰとなる。
【００４０】
連通口４４は、封水貯留部４０と隣接室４３との隣接部において、封水貯留部４０と隣接室４３とを連通させる。連通口４４は、封水の最高位置ＭＨＰよりも下方に設けられ、封水中に没する。これにより、受入口２０及び流入口２２から流出口２４へと至る経路が、封水によって遮断される。連通口４４は、例えば、封水貯留部４０及び隣接室４３の下端部に設けられる。
【００４１】
連通口４４による封水貯留部４０と隣接室４３との連通により、封水貯留部４０にも、最高位置ＭＨＰ以下の部分に水が溜まる。封水貯留部４０に流入した水は、連通口４４及び隣接室４３を介して流出口２４に流出される。これにより、封水貯留部４０において、流入した水を流出口２４に向けて流出させつつ、内部に封水を貯留可能とすることができる。トラップ本体１２において封水を形成する構成は、上記に限ることなく、封水貯留部４０内に封水を貯留可能で、かつ流入した水を流出口２４に流出させることができる任意の構成でよい。
【００４２】
封水貯留部４０は、略円筒状の内周面４０ａを有する。内周面４０ａの直径は、受入口２０の直径と実質的に同じである。また、内周面４０ａの中心軸の位置は、受入口２０の中心と実質的に同じである。受入口２０は、例えば、円筒状の封水貯留部４０の開口端である。内周面４０ａの直径は、必ずしも受入口２０の直径と同じでなくてもよい。内周面４０ａの中心軸の位置は、必ずしも受入口２０の中心と同じでなくてもよい。
【００４３】
封水貯留部４０は、例えば、ベース部５０と、ベース部５０の上部に着脱可能に取り付けられる締付フランジ５２と、を有する。ベース部５０は、有底円筒状である。締付フランジ５２は、円筒状の筒部５２ａと、筒部５２ａの上端から外方に延びるフランジ部５２ｂと、を有する。筒部５２ａの外径は、ベース部５０の上部の内径と同程度である。筒部５２ａは、ベース部５０内に挿通される。また、ベース部５０の上部の内周面には、雌ねじが設けられている。筒部５２ａの下部の外周面には、ベース部５０の雌ねじに対応する雄ねじが設けられている。締付フランジ５２は、筒部５２ａの雄ねじをベース部５０の雌ねじに螺合させることにより、ベース部５０に着脱可能に取り付けられる。
【００４４】
筒部５２ａの内周面は、ベース部５０に取り付けられた状態において、ベース部５０の内周面と略面一となる。この例において、封水貯留部４０の内周面は、ベース部５０の内周面と、筒部５２ａの内周面と、を含む。この例において、受入口２０は、筒部５２ａの上方の開口端である。この例おいて、受入口２０は、締付フランジ５２に形成されている。
【００４５】
洗い場２の排水口４を上から見た形状は、略円形である。排水口４は、断面略円形の貫通孔である。排水口４の直径は、締付フランジ５２の筒部５２ａの外径と同程度である。排水口４と受入口２０との接続においては、締付フランジ５２の筒部５２ａを上方から排水口４に挿通し、各ねじの螺合により、ベース部５０の開口端面とフランジ部５２ｂとの間に、洗い場２の床材の排水口４の周縁部分を挟み込む。これにより、排水口４と受入口２０とが接続され、排水口４から排出された水が、受入口２０からトラップ本体１２（封水貯留部４０）内に流入する。
【００４６】
排水口４と受入口２０との接続方法は、上記に限定されるものではない。封水貯留部４０は、必ずしも締付フランジ５２を有しなくてもよい。この場合、ベース部５０の上部の開口端を受入口２０とすればよい。
【００４７】
複数の係合突起４１は、封水貯留部４０の内周面４０ａに周方向において所定の間隔を空けて設けられる（図３参照）。この例において、各係合突起４１は、締付フランジ５２に設けられている。各係合突起４１は、封水貯留部４０の内方に突出する。各係合突起４１は、例えば、封水貯留部４０の中心軸に向かって略水平に突出する。
【００４８】
各係合突起４１は、ヘアキャッチャー１４の取り付けに用いられる。各係合突起４１は、ヘアキャッチャー１４の底部が封水の最高位置ＭＨＰよりも上方に位置するように、ヘアキャッチャー１４を保持する。封水貯留部４０、各係合突起４１、及びヘアキャッチャー１４は、受入口２０に取り付けられたヘアキャッチャー１４の底部が封水の最高位置ＭＨＰよりも上方に位置するように、寸法が調整される。
【００４９】
この例では、４つの係合突起４１が、９０°おきに設けられる。係合突起４１の数は、４つに限ることなく、ヘアキャッチャー１４の取り付けが可能な任意の数でよい。また、各係合突起４１の間隔は、必ずしも一定でなくてもよい。本願明細書において、「所定の間隔」には、同一の間隔のみならず、間隔にばらつきがある場合も含むものとする。
【００５０】
噴出部４２は、流入口２２から流入した水を封水貯留部４０内に噴出させることにより、封水貯留部４０の内周面４０ａに沿って旋廻する旋廻流を形成するとともに、封水貯留部４０内の水位を一時的に上昇させ、ヘアキャッチャー１４を旋廻流に浸漬させる。
【００５１】
図４は、流入口から水が流入した場合の水の流れを説明する説明図である。  
図４に表したように、噴出部４２は、例えば、円筒面状の内周面４０ａの接線方向に向けて封水貯留部４０内に水を噴出させる。これにより、内周面４０ａに沿って水が旋廻し、封水貯留部４０内に旋廻流が形成される。この例において、旋廻流の旋廻方向は、時計回りの方向である。旋廻方向は、反時計回りの方向でもよい。
【００５２】
旋廻流となった水の一部は、連通口４４を介して封水貯留部４０から隣接室４３に流出し、流出口２４から排水管８に流出する。この際、噴出部４２から噴出する水の量を、連通口４４から流出する水の量よりも僅かに多くする。これにより、噴出部４２からの水の噴出にともなって封水貯留部４０内の水位が一時的に上昇し、ヘアキャッチャー１４が旋廻流に浸漬される。
【００５３】
ヘアキャッチャー１４を旋廻流に浸漬させると、ヘアキャッチャー１４の本体部３０内において、捕捉された異物が攪拌される。これにより、例えば、毛髪などの異物を一まとまりの塊にまとめ、捕捉された異物を捨て易くすることができる。また、例えば、ヘアキャッチャー１４の表面を旋廻流によって浄化させ、ヘアキャッチャー１４の表面におけるヌメリの発生などを抑えることができる。
【００５４】
図４に表したように、トラップ本体１２は、例えば、バイパス路４５をさらに有する。バイパス路４５は、例えば、流入口２２と隣接室４３とを接続し、流入口２２から流入した水の一部を封水貯留部４０を介すことなく隣接室４３に送る。例えば、封水貯留部４０に噴出する水の量と、バイパス路４５に流す水の量と、を調整することにより、噴出部４２から水を噴出させた際の封水貯留部４０内の水位を調整することができる。バイパス路４５の少なくとも一部は、封水の最高位置ＭＨＰよりも下方に設けられる。これにより、バイパス路４５内に封水が満たされ、流入口２２から流出口２４に向かう経路が遮断される。
【００５５】
図２〜図４に表したように、封水貯留部４０は、突出部５４をさらに有する。突出部５４は、封水貯留部４０の底面４０ｂから受入口２０に取り付けられたヘアキャッチャー１４の底部近傍まで延びる。突出部５４の先端５４ａは、封水の最高位置ＭＨＰよりも上方、かつ受入口２０に取り付けられたヘアキャッチャー１４の底部よりも下方に位置する。
【００５６】
また、突出部５４は、封水貯留部４０の底面４０ｂの中央部に設けられる。突出部５４は、封水貯留部４０の底面４０ｂの中央部から略垂直に突出する。これにより、突出部５４が旋廻流の妨げとなってしまうことを抑制することができる。底面４０ｂの中央部とは、例えば、底面４０ｂにおいて、旋廻流の旋廻の中心となる位置から所定の範囲の部分である。突出部５４は、必ずしも旋廻流の旋廻の中心に位置する必要はなく、旋廻の妨げにならない範囲で、旋廻の中心付近に配置されていればよい。
【００５７】
突出部５４は、例えば、断面略円形の棒状（丸棒状）である。これにより、突出部５４が旋廻流の妨げとなることを抑制することができる。突出部５４は、断面略楕円形の棒状や断面略多角形の棒状などでもよい。また、突出部５４の先端５４ａは、例えば、略半球状に丸められている。これにより、例えば、ヘアキャッチャー１４が突出部５４の先端５４ａに当接した際の、ヘアキャッチャー１４の破損などを抑制することができる。また、突出部５４の先端５４ａへの汚れなどの付着を抑え、清掃の手間を低減することができる。この例において、封水貯留部４０は、底面４０ｂの中央部に設けられた１つの突出部５４を有する。封水貯留部４０は、複数の突出部５４を有してもよい。旋廻流を妨げないようにし、さらに清掃の手間も低減させるという観点からは、突出部５４は、１つであることが好ましい。
【００５８】
図５は、実施形態に係るヘアキャッチャーを表す正面図である。  
図５に表したように、ヘアキャッチャー１４は、係合溝３４をさらに有する。係合溝３４は、本体部３０の外周面に設けられる。ヘアキャッチャー１４は、複数の係合溝３４を有する。各係合溝３４は、本体部３０の外周面の周方向において所定の間隔を空けて設けられる。ヘアキャッチャー１４は、例えば、１８０°おきに設けられた２つの係合溝３４を有する。
【００５９】
各係合溝３４は、封水貯留部４０の内周面４０ａに設けられた各係合突起４１のいずれかに係合する。係合溝３４の数は、２つに限ることなく、３つ以上でもよい。係合溝３４の数及び配置は、各係合突起４１のいずれかに係合可能となるように適宜設定すればよい。
【００６０】
各係合溝３４のそれぞれは、本体部３０の外周面の周方向に延びる。換言すれば、各係合溝３４は、水平方向に延びる。各係合溝３４は、本体部３０を旋廻流の旋廻方向に回転させることによって、封水貯留部４０の各係合突起４１のいずれかと係合する。各係合溝３４は、各係合突起４１との係合により、本体部３０の上下方向の移動を規制するとともに、本体部３０の旋廻方向への回転を規制する。
【００６１】
各係合溝３４の周方向の一端には、端面３４ａが設けられている。各係合溝３４の周方向の一端は、端面３４ａによって塞がれている。一方、各係合溝３４の周方向の他端は、開放されている。各係合溝３４は、周方向の両端のうち、旋廻流の旋廻方向に対して反対側の端部を開放する。各係合溝３４は、周方向の一方側から他方側へ凹状をなす。
【００６２】
ヘアキャッチャー１４の取り付けにおいては、取っ手部３２を摘んでヘアキャッチャー１４を操作し、本体部３０のフランジ部３０ｆを各係合突起４１の上に載置する。この後、本体部３０を旋廻流の旋廻方向に回転させ、係合溝３４の開放端側から係合突起４１を係合溝３４内に挿入する。これにより、係合突起４１が係合溝３４に挟まれ、本体部３０の上下方向の移動が規制される。そして、本体部３０をさらに旋廻方向に回転させ、係合突起４１を係合溝３４の端面３４ａに当接させる。これにより、本体部３０の旋廻方向への移動が規制される。以上により、ヘアキャッチャー１４の取り付けが完了する。
【００６３】
ヘアキャッチャー１４を取り外す場合には、本体部３０を旋廻方向と反対の方向に回転させ、各係合溝３４と各係合突起４１との係合を解除する。これにより、ヘアキャッチャー１４をトラップ本体１２から取り外すことができる。
【００６４】
図６は、ヘアキャッチャーの取り付け状態を表す参考図である。  
図６では、封水貯留部４０において突出部５４が設けられていない参考の排水トラップＤＴにおけるヘアキャッチャーＨＣの取り付け状態を表している。排水トラップＤＴは、突出部５４を有しない点を除いて、上記の排水トラップ１０と実質的に同じである。
【００６５】
洗い場２の排水口４は、排水の溢れを抑制したり、排水口４を覆うカバーを収容したりするため、凹部３の底面３ａに設けられる。凹部３の底面３ａの大きさは、受入口ＯＰの大きさよりも僅かに大きい程度であり、凹部３の立面３ｂは、受入口ＯＰに近接して配置される。
【００６６】
これにともない、洗い場２の床面２ａと凹部３の立面３ｂとのコーナー部ＣＮＲに手が当たってしまうことを避けるため、図６に表したように、使用者によっては、ヘアキャッチャーＨＣの取っ手部ＨＣｈを摘み、ヘアキャッチャーＨＣの本体部を受入口ＯＰに対して斜めに差し込んでしまう。そして、ヘアキャッチャーＨＣを受入口ＯＰに対して斜めに差し込むと、ヘアキャッチャーＨＣの本体部の上端の外径は受入口ＯＰの直径と実質的に同じか僅かに小さいため、本体部が各係合突起ＥＰの間を通り抜け、ヘアキャッチャーＨＣがトラップ本体ＭＢ内の封水に浸かってしまう場合がある。
【００６７】
トラップ本体ＭＢ内の封水は、石鹸カスなどの混入により、不衛生な状態となっている場合がある。このため、ヘアキャッチャーＨＣが封水に浸かると、使用者にストレスを与えてしまう恐れがある。
【００６８】
また、ヘアキャッチャーＨＣを受入口ＯＰよりも大きくすると、ヘアキャッチャーＨＣが封水に浸かってしまうことを抑制できる反面、ヘアキャッチャーＨＣのサイズが大きくなってしまうため、操作性の低下を招き、ヘアキャッチャーＨＣの機能性を低下させてしまう。
【００６９】
これに対して、本実施形態に係る排水トラップ１０では、ヘアキャッチャー１４を回転により係合させる形態であっても、封水貯留部４０の底面４０ｂからヘアキャッチャー１４の底部近傍まで延びる突出部５４を設けているため、ヘアキャッチャー１４の本体部３０の上端３０ａから外方に延びる取っ手部３２を摘んでヘアキャッチャー１４を取り付ける際に各係合突起４１の間に斜めにヘアキャッチャー１４が入り込もうとした場合であっても、ヘアキャッチャー１４が突出部５４に接触し、封水貯留部４０内の封水に浸かってしまうことを抑制することができる。従って、ヘアキャッチャー１４の機能性の低下を招くことなく、ヘアキャッチャー１４が封水に浸かってしまうことを抑制することができる。
【００７０】
排水トラップ１０では、ヘアキャッチャー１４の本体部３０が、受入口２０内に嵌る。本体部３０が受入口２０より大きい場合に比べて、本体部３０がコンパクトであり、取り外して振ったりする際の操作性を向上させることができる。また、清掃面積が小さくなり、ヘアキャッチャー１４の清掃性を向上させることもできる。
【００７１】
また、排水トラップ１０では、本体部３０の上端３０ａの位置が、受入口２０と略面一もしくは受入口２０よりも下方に設定される。これにより、受入口２０より上方に設定する場合に比べて、洗い場２から流れた水をヘアキャッチャー１４の本体部３０内に流入させ易くすることができる。トラップ本体１２内への異物の侵入をより抑制することができる。
【００７２】
また、排水トラップ１０では、各係合溝３４及び各係合突起４１が周面に設けられ、本体部３０のフランジ部３０ｆで覆い隠される。これにより、各係合溝３４及び各係合突起４１における汚れなどを目立ち難くすることができる。
【００７３】
また、排水トラップ１０では、取っ手部３２が、本体部３０の上端３０ａから外方に向かって略水平に延びる。これにより、ヘアキャッチャー１４の操作性をより高めることができる。例えば、本体部３０に捕捉された異物を容易にゴミ箱などに捨てることができる。
【００７４】
また、排水トラップ１０では、突出部５４が、封水貯留部４０の底面４０ｂの中央部に設けられているため、突出部５４が旋廻流の妨げとなってしまうことを抑制することができる。旋廻流の旋廻を妨げることなく、取り付け時にヘアキャッチャー１４が封水に浸かることを抑制することができる。
【００７５】
図７（ａ）及び図７（ｂ）は、実施形態に係る封水貯留部の変形例を表す部分断面図である。  
図７（ａ）及び図７（ｂ）では、便宜的に、トラップ本体１２の封水貯留部４０の部分のみを簡略化して図示している。  
図７（ａ）に表したように、この例では、突出部５４の外周面に突起５５が設けられている。突起５５は、例えば、螺旋状に形成される。突起５５は、例えば、突出部５４の下端から先端５４ａに亘って連続する螺旋状である。この例では、突起５５が、突出部５４の外周面の略全体に設けられている。このように、突出部５４の外周面に螺旋状の突起５５を設けることにより、封水貯留部４０内において旋廻流の旋廻を促進させることができる。ヘアキャッチャー１４が封水に浸かることを抑制しつつ、旋廻流の旋廻をより促進することができる。
【００７６】
この例では、螺旋状の１つの突起５５を突出部５４に設けている。突起５５の形状は、螺旋状に限ることなく、例えば、環状でもよい。突起５５は、複数設けてもよい。例えば、突出部５４の下端から先端５４ａに亘り、複数の環状の突起５５を所定の間隔で設けてもよい。突起５５の数及び形状は、封水貯留部４０内において旋廻流の旋廻を促進させることができる任意の数及び任意の形状でよい。突起５５の突出部５４の外周面からの突出量は、例えば、１ｍｍ以上３ｍｍ以下である。これにより、旋廻流の旋廻を促進させつつ、突出部５４の清掃性を向上させることができる。
【００７７】
図７（ｂ）に表したように、この例では、突出部５４の外周面に溝５６が設けられている。溝５６は、例えば、突出部５４の下端から先端５４ａに亘って連続する螺旋状である。これにより、突起５５の場合と同様に、溝５６においても、封水貯留部４０内において旋廻流の旋廻を促進させることができる。突起５５と同様に、溝５６の数及び形状は、封水貯留部４０内において旋廻流の旋廻を促進させることができる任意の数及び任意の形状でよい。
【００７８】
図８（ａ）及び図８（ｂ）は、実施形態に係る封水貯留部の別の変形例を表す部分断面図である。  
図８（ａ）に表したように、この例では、突出部５４の上部のみに突起５５が設けられている。同様に、図８（ｂ）に表したように、この例では、突出部５４の上部のみに溝５６が設けられている。
【００７９】
この例では、封水貯留部４０の上方の部分において旋廻流の旋廻を促進させることができる。旋廻流が必要となるのは、ヘアキャッチャー１４に浸漬する封水貯留部４０の上方の部分のみである。従って、図８（ａ）及び図８（ｂ）に表した例では、必要な部分において旋廻流の旋廻を促進させつつ、突出部５４の下部の部分における清掃性を向上させることができる。
【００８０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水トラップ１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８１】
２ 洗い場、  ３ 凹部、  ３ａ 底面、  ４ 排水口、  ５ 浴槽、  ６ 排水口、  ８ 排水管、  １０ 排水トラップ、  １２ トラップ本体、  １４ ヘアキャッチャー、  １６ 接続部材、  １８ ホース、  ２０ 受入口、  ２２ 流入口、  ２４ 流出口、  ３０ 本体部、  ３２ 取っ手部、  ３４ 係合溝、  ４０ 封水貯留部、  ４１ 係合突起、  ４２ 噴出部、  ４３ 隣接室、  ４４ 連通口、  ４５ バイパス路、  ５０ ベース部、  ５２ 締付フランジ、  ５４ 突出部、  ５５ 突起、  ５６ 溝、  ＣＮＲ コーナー部、  ＭＨＰ 最高位置
【図１】
0006722397.tif 000002
【図２】
0006722397.tif 000003
【図３】
0006722397.tif 000004
【図４】
0006722397.tif 000005
【図５】
0006722397.tif 000006
【図６】
0006722397.tif 000007
【図７】
0006722397.tif 000008
【図８】
0006722397.tif 000009
【図９】
0006722397.tif 000010
【図１０】
0006722397.tif 000011
【図１１】
0006722397.tif 000012